(57)【特許請求の範囲】
【請求項１】
バッグ本体（１００）と、
前記バッグ本体（１００）内に設けられ、該バッグ本体（１００）内にて可動とされた仕切り部材（５０）と、
前記バッグ本体（１００）の内周面のうち、前記バッグ本体（１００）の底面（１０３）から離れた位置に設けられ、前記仕切り部材（５０）を係止可能な係止部材（７２，７３）とを備え、
前記仕切り部材（５０）は、前記バッグ本体（１００）の底面（１０３）に沿って配置される第１状態と、前記第１の状態から上方に向けて変位し、上方に変位した位置で前記係止部材（７２，７３）に係止されて、該仕切り部材（５０）と前記バッグ本体（１００）の底面（１０３）との間に第１収容室（Ｒ３）を規定すると共に、該仕切り部材（５０）の上方に第２収容室（Ｒ２）を規定する第２状態とに可変とされ、
前記仕切り部材（５０）は、第１平板部（５１）と、該第１平板部（５１）に対して回動可能に接続された第２平板部（５２）と、該第２平板部（５２）に対して回動可能に接続された第３平板部（５３）とを含み、
前記第１状態において、前記第１平板部（５１）および前記第２平板部（５２）とが、前記バッグ本体（１００）の底面（１０３）上に沿って延び、前記第３平板部（５３）は、前記バッグ本体（１００）の一の側面（１０１）に沿って立上り、
前記第２状態において、前記第１平板部（５１）は、前記一の側面（１０１）と対向する他の側面（１０２）に沿って立上り、前記第２平板部（５２）と前記第３平板部（５３）とは、前記底面（１０３）の上方にて、前記一の側面（１０１）と他の側面（１０２）との間に亘って延び、前記バッグ本体（１００）内を前記第１収容室（Ｒ３）と前記第２収容室（Ｒ２）とを区分する、バッグ。
【請求項２】
前記係止部材（７２，７３）は、前記第２状態において、前記第２平板部（５２）と前記第３平板部（５３）との境界部分（６２）を係止する、請求項１に記載のバッグ。
【請求項３】
前記一の側面（１０１）に形成され、収容物を出し入れ可能な出し入れ口（２３）と、
前記仕切り部材（５０）と前記バッグ本体（１００）の底面（１０３）との間に設けられ、開口部が前記出し入れ口（２３）に連通する収容袋（９０）とをさらに備えた、請求項１または請求項２に記載のバッグ。
【請求項４】
前記第１平板部（５１）は、該第１平板部（５１）の上面に設けられた接着部材（８２，８３）を含み、
前記他の側面（１０２）は、該他の側面（１０２）の内周面のうち、前記第２状態における前記第１平板部（５１）に設けられた前記接着部材（８２，８３）に対応する位置に、前記接着部材（８２，８３）と接着可能な接着部材（８０，８１）を含む、請求項１から請求項３のいずれかに記載のバッグ。
【発明の詳細な説明】
【技術分野】
【０００１】
本発明は、バッグに関し、特に、ゴルフ用シューズを収容可能なバッグに関する。
【背景技術】
【０００２】
一般に、ゴルフプレーヤーがゴルフ場に搬送する荷物としては、キャディーバッグ、シューズケースおよびボストンバッグ等がある。このような各種バッグを同時に搬送するのは、プレーヤーにとって非常に煩雑な作業となる。そのため、シューズケースを使用せず、ゴルフシューズをボストンバッグ内に収容することがある。しかし、使用後の汚れたゴルフシューズをボストンバッグ内に収容すると、他の衣類等が汚れてしまう等の弊害が生じる。
【０００３】
そこで、従来から各種ボストンバッグが提案されている。
たとえば、特開２０００−２４５５１８号公報に記載された手提げバッグは、メインバッグと、このメインバッグの上面に取り付けられ、連結具を介して着脱可能とされたシューズケースとを備えている。この手提げバッグにおいては、ゴルフシューズが不要な場合には、シューズケースを外して、メインバッグのみを搬送することで、プレーヤーがバッグを搬送するときの負担の軽減が図られている。
【０００４】
また、実開平７−１７１１７号公報に記載されたバッグにおいては、外観形状が円柱状とされており、正面側と背面側とで２分割されている。そして、正面側半分を構成する第１収容部と、背面側半分を構成する第２収容部と、第１収容部と第２収容部とを締め付け可能な調整ベルトとを備えている。
【０００５】
このバッグにおいては、シューズ等の小荷物を別個に収納することができ、しかも、シューズ等が不要な場合には、調整ベルトを締め付けて、第１または第２収容部を潰し、バッグをコンパクトにすることができる。
【特許文献１】特開２０００−２４５５１８号公報
【特許文献２】実開平７−１７１１７号公報
【発明の開示】
【発明が解決しようとする課題】
【０００６】
しかし、上記特開２０００−２４５５１８号公報に記載された手提げバッグおいては、別体とされたシューズケースとメインバッグとを連結する連結具が疲労し、破損し易い。さらに、シューズ等の小荷物が不要な場合においても、メインバッグの収容容積は一定のままであり、シューズが不要になった分、メインバッグの容量を増やす等の融通が利かないものとなっている。
【０００７】
さらに、実開平７−１７１１７号公報に記載されたバッグにおいても、シューズが不要なときに、他方の収容部の容積を大きくする等の融通は利かないものとなっている。
【０００８】
本発明は、上記のような課題に鑑みてなされたものであって、その目的は、シューズ等の汚れる小荷物と、衣服等の荷物とを別個に収容することができると共に、シューズ等の小荷物が不要な場合には、衣服等を収容する収容容積をその分増やすことができるバッグを提供することである。
【課題を解決するための手段】
【０００９】
本発明に係るバッグは、バッグ本体と、バッグ本体内に設けられ、該バッグ本体内にて可動とされた仕切り部材と、バッグ本体の内周面のうち、バッグ本体の底面から離れた位置に設けられ、仕切り部材を係止可能な係止部材とを備えている。そして、上記仕切り部材は、バッグ本体の底面を含む内周面に沿って配置される第１状態と、係止部材に係止されることで、該仕切り部材とバッグ本体の底面との間に第１収容室を規定すると共に、該仕切り部材の上方に第２収容室を規定する第２状態とに可変とされる。上記仕切り部材は、バッグ本体の底面に沿って配置される第１状態と、第１の状態から上方に向けて変位し、上方に変位した位置で係止部材に係止されて、該仕切り部材とバッグ本体の底面との間に第１収容室を規定すると共に、該仕切り部材の上方に第２収容室を規定する第２状態とに可変とされる。さらに、上記第２状態において、第１平板部は、一の側面と対向する他の側面に沿って立上り、第２平板部と第３平板部とは、底面の上方にて、一の側面と他の側面との間に亘って延び、バッグ本体内を第１収容室と第２収容室とを区分する。好ましくは、上記係止部材は、第２状態において、第２平板部と第３平板部との境界部分を係止する。好ましくは、上記一側面に形成され、収容物を出し入れ可能な出し入れ口と、仕切り部材とバッグ本体の底面との間に設けられ、開口部が出し入れ口に連通する収容袋とをさらに備える。好ましくは、上記第１平板部は、該第１平板部の上面に設けられた接着部材を含む。そして、上記他の側面は、該他の側面の内周面のうち、第２状態における第１平板部に設けられた接着部材に対応する位置に、接着部材と接着可能な接着部材を含む。
【発明の効果】
【００１０】
本発明に係るバッグによれば、シューズ等の汚れる小荷物と、衣服等の荷物とを別個に収容することができると共に、シューズ等の小荷物が不要な場合には、衣服等を収容する収容容積をその分増やすことができる。
【発明を実施するための最良の形態】
【００１１】
本発明の実施の形態に係るバッグについて、図１から図７を用いて説明する。
なお、以下に説明する実施の形態において、個数、量等に言及する場合、特に記載がある場合を除き、本発明の範囲は必ずしもその個数、量等に限定されない。また、以下の実施の形態において、各々の構成要素は、特に記載がある場合を除き、本発明にとって必ずしも必須のものではない。
【００１２】
図１は、ボストンバッグ１０の斜視図であり、図２は、ボストンバッグ１０の上蓋１５およびポケット１３を開けた状態におけるボストンバッグ１０の斜視図である。この図１および図２に示すように、ボストンバッグ１０は、内部に衣類等の収容物を収容可能な内部空間を規定するバッグ本体１００と、このバッグ本体１００を持ち上げるための手提げ紐１４とを備えている。
【００１３】
バッグ本体１００は、上壁部と底面部１０３と、手提げ紐１４が設けられた前面壁部１０５と、この前面壁部１０５と対向する背面壁部１０６と、前面壁部１０５および背面壁部１０６の両側に位置する側壁部１０１，１０２とを備えている。そして、バッグ本体１００の上面には、開閉可能に設けられた上蓋１５が設けられ、バッグ本体１００の前面壁部１０５には、ポケット１２が設けられ、さらに、側壁部１０１には、ポケット１３が設けられている。
【００１４】
ポケット１２は、前面壁部１０５の底面部１０３側に設けられており、ポケット１３は、側壁部１０１の底面部１０３側に設けられている。上蓋１５は、ジッパー等で開閉可能に設けられており、上蓋１５を開けることで、バッグ本体１００の内部空間Ｒ１と、外部空間とを連通可能とされている。
【００１５】
図３は、ボストンバッグ１０の内部を可視化した斜視図である。この図３に示すように、バッグ本体１００の内部空間Ｒ１内には、バッグ本体１００内にて可動とされた仕切り部材５０が設けられている。この仕切り部材５０は、図３に示す状態においては、底壁部１０３上に配置されており、一方の側壁部１０２から対向する側壁部１０１に向けて延びており、側壁部１０１側において、側壁部１０１に沿って上方に向けて屈曲している。
【００１６】
この仕切り部材５０の側壁部１０２側の端部は、側壁部１０２の底壁部１０３側の辺部およびその近傍に位置する縫着部６０にて、側壁部１０２に対して回動可能に縫着されている。そして、仕切り部材５０の側壁部１０１側の端部は、側壁部１０１のうち、ポケット１３の開口部（出し入れ口）２３の上方に位置する縫着部６３にて、側壁部１０１に対して回動可能に縫着されている。なお、本実施の形態においては、仕切り部材５０は、上記のように、側壁部１０１，１０２に縫着されているが、このような場合に限られず、たとえば、ホック・ボタン等、各側壁部１０１，１０２に対して回動可能とされ、さらに、着脱可能に設けられていてもよい。
【００１７】
そして、仕切り部材５０は、一方の端部に位置する縫着部６０にて側壁部１０２に縫着された平板部材５１と、この平板部材５１に対して、折り返し部６１にて回動可能に連設された平板部材５２と、この平板部材５２に対して、折り返し部６２にて回動可能に接続されると共に、縫着部６３にて側壁部１０１に縫着された平板部材５３とを備えている。
【００１８】
この図３に示す状態においては、平板部材５１および平板部材５２は、バッグ本体１００の底壁部１０３の略全面を覆うように、側壁部１０２から側壁部１０１に亘って延びており、側壁部１０１側にて、平板部材５３が側壁部１０１に沿って上方に延びるように配置されている。
【００１９】
すなわち、この図３に示す状態においては、仕切り部材５０は、バッグ本体１００の底面および内側面に沿って延びており、バッグ本体１００内には、１つの大きな内部空間Ｒ１が規定されている。このため、バッグ本体１００内の内部空間の略全てを、衣類等の収容物を収容する収容室として利用することができ、図１に示す上蓋１５を開けることで多くの衣類等の収容物を収容することができる。
【００２０】
そして、平板部材５１の上面うち、折り返し部６１側の端部近傍には、たとえば、磁石、マジックテープ（登録商標）、ホック・ボタン等の接着部材８２，８３がバッグ本体１００の奥行き方向に間隔を隔てて縫着されている。さらに、側壁部１０２の内壁面にも、平板部材５１が縫着部６０を回転中心に立ち上がった際に、平板部材５１に設けられた接着部材８２，８３に対応する部分に、磁石、マジックテープ（登録商標）、ホック・ボタン等の接着部材８０，８１が設けられている。
【００２１】
平板部材５２の上面のうち、折り返し部６２の近傍には、たとえば、プラスチックバックル、ホック・ボタン、ナス型フック等の取付け部材７０，７１が、前面壁部１０５の内壁面から前面壁部１０５と対向する背面壁部１０６の内壁面に向かうバッグ本体１００の奥行き方向に間隔を隔てて設けられている。
【００２２】
そして、前面壁部１０５および前面壁部１０５と対向する背面壁部１０６の内壁面には、たとえば、プラスチックバックル、ホック・ボタン、Ｄ型環等の、取付け部材７０，７１に対応する取付け部材７２，７３が設けられている。
【００２３】
さらに、バッグ本体１００内のうち、仕切り部材５０と底壁部１０３との間には、収容袋９０が設けられており、この収容袋９０の開口部縁部は、側壁部１０１のうち、開口部２３の開口縁部の周囲に位置する部分に縫着されている。このため、収容袋９０の開口部と開口部２３とは連通している。
【００２４】
図４は、仕切り部材５０を起こした状態におけるボストンバッグ１０の内部構成を可視化した斜視図である。
【００２５】
この図４に示すように、仕切り部材５０を起こすことで、仕切り部材５０は、バッグ本体１００の内部空間を、仕切り部材５０の上方に位置する上方室Ｒ２と、仕切り部材５０の下方に位置する下方室Ｒ３とに区分している。
【００２６】
ここで、図３に示す状態から、仕切り部材５０を起こす際には、まず、平板部材５１を縫着部６０を中心に回動して、側壁部１０２に沿って立ち上げ、接着部材８２を接着部材８０に接着させると共に、接着部材８３を接着部材８１に接着させることで、平板部材５１を仮固定する。この際、接着部材８０〜８３を、磁石、マジックテープ（登録商標）とした場合には、互いに接触させることで、互いに接着させることができるので、側壁部１０２に平板部材５１を近づけたり、押付けたりすることで、平板部材５１を容易に仮固定することができる。
【００２７】
このように、平板部材５１を立ち上げることで、平板部材５３が縫着部６３を中心に回動し、平板部材５３および平板部材５２が、底壁部１０３から離れた状態で、底壁部１０３と略平行な状態となる。
【００２８】
そして、取付け部材７０と取付け部材７２とを結合すると共に、取付け部材７１と取付け部材７３とを結合することで、平板部材５２および平板部材５３を略水平状態に維持する。なお、取付け部材７０，７１と、取付け部材７２，７３とを係合して、仕切り部材５０を係止する際には、接着部材８０〜８３によって、仕切り部材５０が仮止めされているため、取付け部材７０，７１と、取付け部材７２，７３との係合を容易にすることができる。
【００２９】
なお、取付け部材７０，７１および取付け部材７２，７３は、折り返し部６２の上方にて互いに結合しており、折り返し部６２にて平板部材５２および平板部材５３が屈曲することが抑制され、略平板状態に維持される。すなわち、取付け部材７２，７３は、立ち上がった状態の仕切り部材５０の折り返し部６２を支持する。
【００３０】
これにより、平板部材５２および平板部材５３によって、バッグ本体１００の内部は、上方室Ｒ２と下方室Ｒ３とに区分される。そして、上方室Ｒ２内には、図２に示すように、上蓋１５を開くことで、衣類等の収容物を収容することができる。ここで、平板部材５２および平板部材５３は、上部室Ｒ２の底壁として機能するため、平板部材５３および平板部材５２を略平行状態にすることで、収容される衣類等の収容物を整理して収容することができる。
【００３１】
下方室Ｒ３内には、開口部２３に連通する収容袋９０が設けられており、この収容袋９０内にゴルフシューズ等の収容物を収容したり、開口部２３から収容したゴルフシューズ等を取り出すことができる。
【００３２】
このように、上方室Ｒ２と区分された下方室Ｒ３内にゴルフシューズ等の汚れる収容物を収容可能とすることで、衣類等とゴルフシューズとが接触することを抑制することができ、衣類等が汚れることを防止することができる。
【００３３】
特に、収容袋９０内にゴルフシューズ等は収められるため、ゴルフシューズと上方室Ｒ２内の衣類とが接触することが確実に抑制されている。
【００３４】
また、仕切り部材５０によって、上方室Ｒ２と下方室Ｒ３とに仕切った状態で、衣類を上方室Ｒ２内に収容すると共に、ゴルフシューズを下方室Ｒ３内に収容する際に、上方室Ｒ２内の整理された衣類を崩すことなく、下方室Ｒ３内にゴルフシューズを収容することができる。同様に、下方室Ｒ３内に収容されたゴルフシューズを取り出す際に、上方室Ｒ２内に収容された整理された衣類等を崩すことなく、ゴルフシューズ等を取り出すことができる。
【００３５】
そして、ゴルフシューズ等を持ち運びしない場合には、図３に示すように、仕切り部材５０を底壁部１０３側に変位させると共に、収容袋９０を押し潰すことで、大きな内部空間Ｒ１を規定することができ、衣類等の収容物を収容する空間を広くとることができる。さらに、図３において、仕切り部材５０を底壁部１０３側に変位させることで、平板部材５３は、開口部２３を閉塞しており、収容袋９０内に物が入り込むことを抑制している。
【００３６】
このように、ゴルフシューズ等の汚れた収容物を収容しない場合には、当該領域を、衣類等の収容物を収容するスペースとすることができ、バッグ本体１００内の空間の有効利用を図ることができる。図５は、仕切り部材５０の構成を詳細に示す斜視図である。この図５に示されるように、仕切り部材５０は、ナイロン、ポリエステル等からなる袋部５５と、袋部５５を縫着することで規定された袋部５１Ｂ，５２Ｂ，５３Ｂと、各袋部５１Ｂ，５２Ｂ，５３Ｂ内に収容され、ポリプロピレン、ポリエチレン等からなる板部材５１Ａ，５２Ａ，５３Ａとを備えている。
【００３７】
なお、本実施の形態においては、仕切り部材５０は、複数の板状部材を互いに回動可能に接続することで構成されているが、これに限られず、たとえば、蛇腹状に形成された仕切り部材であってもよい。さらには、仕切り部材の外周縁部と、バッグ本体１００の内周面とに設けられたジッパー等を用いて、バッグ本体１００内を上方室Ｒ２と下方室Ｒ３とに区分するようにしてもよい。なお、本実施の形態においては、下方室Ｒ３内に収容される収容物として、ゴルフシューズを例示したが、これに限られず、汚れた衣類等であってもよく、種々の収容物を収容することができる。
【００３８】
ここで、図６および図７を用いて、本実施の形態に係るボストンバッグ１０の変形例について説明する。なお、図６および図７において、上記図１から図５に示す構成と同一または同様の構成については、同一の符号を付してその説明を省略する。図６は、本実施の形態に係るボストンバッグ１０の変形例を示し、内部の構造を可視化した斜視図である。この図６に示す状態においては、仕切り部材１５０は、平板板状とされており、底壁部１０３の内壁面を覆うように配置されている。このため、バッグ本体１００内には、１つの大きな収容室が規定されている。
【００３９】
そして、仕切り部材１５０の周縁部には、複数の取付け部材７０Ａ，７０Ｂ，７０Ｃ，７１Ａ，７１Ｂ，７１Ｃが間隔を隔てて設けられており、さらに、前面壁部１０５および背面壁部１０６の内壁面のうち、開口部２３より上方に位置する部分には、複数の取付け部材７２Ａ，７２Ｂ，７２Ｃ，７３Ａ，７３Ｂ，７３Ｃが間隔を隔てて設けられている。
【００４０】
図７は、図６に示す状態から仕切り部材１５０を上方に変位させて、仕切り部材１５０の取付け部材７０Ａ〜７１Ｃを取付け部材７２Ａ〜７３Ｃに係止したときの斜視図である。この図７に示すように、仕切り部材１５０を上方に変位させて、取付け部材７０Ａ，７０Ｂ，７０Ｃ，７１Ａ，７１Ｂ，７１Ｃを取付け部材７２Ａ，７２Ｂ，７２Ｃ，７３Ａ，７３Ｂ，７３Ｃを係合させることで、底壁部１０３より上方であって、かつ、開口部２３より上方にて、仕切り部材１５０をつなぎ止める。このように仕切り部材１５０を固定することで、バッグ本体１００内を、仕切り部材１５０の上方に規定された上方室Ｒ２と、仕切り部材１５０と底壁部１０３と間に規定された下方室Ｒ３とに区分することができる。そして、下方室Ｒ３内に設けられ、開口部２３に連通する収容袋９０内にゴルフシューズ等を収容することができる。さらに、取付け部材７２Ａ〜７３Ｃに係止された仕切り部材１５０を底面とする上方室Ｒ２内に衣類等を収容することができる。これにより、上方室Ｒ２内に収容された衣類等が、下方室Ｒ３内に収容されたゴルフシューズ等に触れることを抑制することができ、上方室Ｒ２内に収容された衣類が汚れたりすることを抑制することができる。このように、図６および図７に示されたボストンバッグ１０においても、上記図１〜図５に示したボストンバッグ１０と同様の作用・効果を得ることができる。
【００４１】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値等は、例示であり、上記数値および範囲にかぎられない。
【産業上の利用可能性】
【００４２】
本発明は、ボストンバッグに適用することができ、特に、ゴルフシューズを収容可能なバッグに好適である。
【図面の簡単な説明】
【００４３】
【図１】ボストンバッグの斜視図である。
【図２】ボストンバッグの上蓋およびポケットを開けた状態におけるボストンバッグの斜視図である。
【図３】ボストンバッグの内部を可視化した斜視図である。
【図４】仕切り部材を起こした状態におけるボストンバッグの内部構成を可視化した斜視図である。
【図５】仕切り部材の構成を詳細に示す斜視図である。
【図６】本実施の形態に係るボストンバッグの変形例を示し、内部の構造を可視化した斜視図である。
【図７】図６に示す状態から仕切り部材を上方に変位させて、仕切り部材の取付け部材を取付け部材に係止したときの斜視図である。
【符号の説明】
【００４４】
１０  ボストンバッグ、１２，１３  ポケット、１４  手提げ紐、１５  上蓋、５０  仕切り部材、５１，５２，５３  平板部材、６０  縫着部、６１，６２  折り返し部、６３  縫着部、７０，７１，７２，７３  取付け部材、８０，８１，８２，８３  接着部材、９０  収容袋、１００  バッグ本体、１０１  側壁部、１０２  側壁部、１０３  底壁部、１０５  前面壁部、１１０  周壁部、Ｒ１  内部空間、Ｒ２  上方室、Ｒ３  下方室。
【図１】
0005126775.tif 000002
【図２】
0005126775.tif 000003
【図３】
0005126775.tif 000004
【図４】
0005126775.tif 000005
【図５】
0005126775.tif 000006
【図６】
0005126775.tif 000007
【図７】
0005126775.tif 000008